【事件の表示】
　特願２００２−３０５７４１「インターネットウェブ卒業アルバムシステム」拒絶査定不服審判事件〔平成１６年　５月１３日出願公開、特開２００４−１３９５１７〕について、次のとおり審決する。
【結　論】
　本件審判の請求は、成り立たない。
【理　由】
１．手続の経緯
　
　本願は、平成１４年１０月２１日付けの特許出願であって、平成２０年　４月１１日付けで拒絶理由が通知され、これに対して同年　６月１９日付けで手続補正書が提出されたが、同年　７月２２日付けで拒絶査定され、これに対して同年　８月２７日付けで拒絶査定不服審判が請求されるとともに、同日付けで手続補正書が提出され、平成２２年　７月２０日付けで審尋が通知され、これに対して同年　９月２１日付けで回答書が提出されたものである。
　
２．平成２０年　８月２７日付けでした手続補正について
　
（１）本件補正の内容について
　
　平成２０年　６月１９日付けでした手続補正により補正された明細書の特許請求の範囲は、平成２０年　８月２７日付けでした手続補正（以下、「本件補正」という。）により、以下のとおり補正された。
　
＜＜本件補正前の特許請求の範囲＞＞
　
「【請求項１】　紙に印刷され卒業生に渡される卒業アルバムと、
前記印刷される卒業アルバムの原稿の締め切り日から前記卒業生の卒業日までの前記卒業アルバムが配られる前記卒業生及びこれに関連するデータＡを保存する学校データ保存部を有するインターネットサーバと、
前記インターネットサーバにインターネット網を介して接続されるクランアント側のコンピュータと、
前記卒業アルバムに備えられ、前記インターネットサーバに保存された前記データＡを含むデータを前記クライアント側のコンピュータから閲覧可能なパスワードからなる前記卒業生の識別記号とを有し、
前記卒業生が、前記インターネットサーバに繋がる前記クライアント側のコンピュータに前記識別記号を入力して、前記学校データ保存部に保存され、前記識別記号にリンクされている前記データを閲覧できることを特徴とするインターネットウェブ卒業アルバムシステム。
【請求項２】　請求項１記載のインターネットウェブ卒業アルバムシステムにおいて、前記インターネットサーバのデータには、前記データＡの他に、前記卒業アルバムの全部又は一部からなるデータＢが含まれていることを特徴とするインターネットウェブ卒業アルバムシステム。
【請求項３】　請求項１及び２のいずれか１項に記載のインターネットウェブ卒業アルバムシステムにおいて、前記識別記号は、前記卒業アルバムに備えられた記憶媒体に保存されていることを特徴とするインターネットウェブ卒業アルバムシステム。
【請求項４】　請求項１〜３のいずれか１項に記載のインターネットウェブ卒業アルバムシステムにおいて、前記卒業生は、それぞれ別の識別記号を有し、前記卒業生は、該卒業生自身の個人データを前記クライアント側のコンピュータから変更することができることを特徴とするインターネットウェブ卒業アルバムシステム。
【請求項５】　請求項１〜４のいずれか１項に記載のインターネットウェブ卒業アルバムシステムにおいて、前記インターネットサーバは、学校毎の学校データ保存部を有していることを特徴とするインターネットウェブ卒業アルバムシステム。
【請求項６】　請求項５記載のインターネットウェブ卒業アルバムシステムにおいて、前記学校データ保存部には、同窓会サイトが形成されていることを特徴とするインターネットウェブ卒業アルバムシステム。」
　
＜＜本件補正後の特許請求の範囲＞＞
　
「【請求項１】　紙に印刷され卒業生に渡される卒業アルバムと、
前記印刷される卒業アルバムの原稿の締め切り日から前記卒業生の卒業日までの前記卒業アルバムが配られる前記卒業生及びこれに関連するデータＡを保存する学校データ保存部を有するインターネットサーバと、
前記インターネットサーバにインターネット網を介して接続されるクランアント側のコンピュータと、
前記卒業アルバムに備えられ、前記インターネットサーバに保存された前記データＡを含むデータを前記クライアント側のコンピュータから閲覧可能なパスワードからなる前記卒業生の識別記号とを有し、
前記卒業生が、前記インターネットサーバに繋がる前記クライアント側のコンピュータに前記識別記号を入力して、前記学校データ保存部に保存され、前記識別記号にリンクされている前記データを閲覧でき、
しかも、前記識別記号は、前記卒業アルバムに備えられた記憶媒体に保存され、更に、前記インターネットサーバは、学校毎の学校データ保存部を有していることを特徴とするインターネットウェブ卒業アルバムシステム。
【請求項２】　請求項１記載のインターネットウェブ卒業アルバムシステムにおいて、前記卒業生は、それぞれ別の識別記号を有し、前記卒業生は、該卒業生自身の個人データを前記クライアント側のコンピュータから変更することができることを特徴とするインターネットウェブ卒業アルバムシステム。
【請求項３】　請求項１記載のインターネットウェブ卒業アルバムシステムにおいて、前記学校データ保存部には、同窓会サイトが形成されていることを特徴とするインターネットウェブ卒業アルバムシステム。」
　
　なお、審判請求人は、平成２０年１１月１３日付け手続補正書の請求の理由の欄において、「（２）補正の根拠の明示
　本書と同時に提出する手続補正書による補正事項は、請求項の削除、特許請求の範囲の限定的減縮、及び明瞭でない記載の釈明を目的としたものである。
　出願当初の特許請求の範囲における請求項（以下、「旧請求項）」という。）５，１４以外の請求項については削除した。
　請求項１は、旧請求項５を、特に出願当初の明細書中の段落番号００１８〜００６９に基づいて補正したものである。
　請求項２は、旧請求項１４を、特に出願当初の明細書中の段落番号００１８〜００６９に基づいて補正したものである。
　また、その他の出願当初の明細書中の補正事項は、特許請求の範囲の補正と整合性を取るためのものである。」と主張している。
　
（２）本件補正前後の各請求項の対応関係について
　
　上記主張に鑑みると、本件補正後の請求項１に係る発明は、本件補正前の請求項１を引用する請求項３を引用する請求項５に係る発明に対応する。
　
　また、本件補正後の請求項２に係る発明は、本件補正前の請求項１を引用する請求項３を引用する請求項４を引用する請求項５に係る発明に対応する。
　
　また、本件補正後の請求項３に係る発明は、本件補正前の請求項１を引用する請求項３を引用する請求項５を引用する請求項６に係る発明に対応する。
　
（３）本件補正の目的について
　
　したがって、本件補正の内容に鑑みると、本件補正により、本件補正後の請求項１乃至３に係る発明に対応するもの以外の本件補正前の請求項は削除されている。
　
　よって、平成２０年　８月２７日付けでした手続補正は、平成１８年法律第５５号改正附則第３条第１項によりなお従前の例によるとされる同法による改正前の特許法第１７条の２第４項第１号に掲げられた請求項の削除を目的とするものである。
　
３．本願を拒絶するべき理由
　
（１）本願の請求項１に係る発明
　
　本願の請求項１に係る発明（以下、「本願発明」という）は、平成２０年　８月２７日付け手続補正書によって補正された明細書の特許請求の範囲の請求項１に記載された事項により特定されるとおりのものである。
　
（２）引用文献の記載事項及び引用文献発明
　
（引用文献１の記載事項）
　
　原査定の拒絶の理由に引用された特開平１１−３１１４１号公報（以下、「引用文献１」という。）には、図面とともに以下の記載がある。
　
（１ａ）「【００４３】この卒業アルバムサービスシステムにおいては、学校１１に設置されたサーバ１２に対して、インターネットやＬＡＮ等の公衆通信回線１４を介して各卒業生の家庭１５に配設された例えばパーソナルコンピュータ等の情報端末１６が必要に応じて接続される。
【００４４】サーバ１２には、前記卒業アルバムを構成するディスク記録媒体１に対して情報の読出、書込みが可能なリーダライタ１３が接続されている。また、各卒業生や恩師や学校関係者等からなる会員にはそれそれ会員番号（パスワード）が予め付与されている。
【００４５】そして、各会員は自宅（家庭１５）の情報端末１６を操作して、学校１１に設置されたサーバ１２のホームページをアクセスすることが可能である。この場合、必要に応じて、自己の会員番号（パスワード）を付加してアクセス要求をサーバ１２へ送信する。
【００４６】学校１１に設置されたサーバ１２は図５及び図６の流れ図に従って各情報端末１６からのアクセス要求に対する卒業アルバムサービス処理を実行する。一つの情報端末１６からのアクセス要求が入力すると（Ｓ１）、リーダライタ１３で卒業アルバムから読取った図３に示す目次をアクセス要求元の情報端末１６へ送信する（Ｓ２）。該当情報端末１６からタイトル指定が入力されると（Ｓ３）、前記管理テーブル４の該当タイトルの公開対象が一般公開に設定されていた場合は（Ｓ４）、データ領域３ｂから指定されたタイトルの記念情報を読出して要求元の情報端末１６へ送信する（Ｓ５）。
【００４７】前記管理テーブル４の該当タイトルの公開対象が会員に限定されていた場合は（Ｓ６）、会員番号（パスワード）の入力指示を要求元の情報端末１６へ送信し（Ｓ７）、会員番号（パスワード）が入力されると（Ｓ８）、この入力された会員番号（パスワード）が予め登録された会員番号（パスワード）であることを確認する（Ｓ９）。確認が終了すると、データ領域３ｂから指定されたタイトルの記念情報を読出して要求元の情報端末１６へ送信する（Ｓ１０）。
【００４８】なお、会員番号（パスワード）が入力されなかったり、誤った会員番号（パスワード）が入力されると、指定されたタイトルの記念情報の送信は不可能であるメッセージを要求元の情報端末１６へ送信する（Ｓ１１）。
【００４９】そして、指定されたタイトルの記念情報の情報端末１６への送信のちに、該当情報端末１６からの書込要求が入力すると（Ｓ１２）、前記管理テーブル３内の送信した記念情報の書替え可否情報が書替え許可に指定されていた場合は（Ｓ１３）、卒業アルバムにおける該当記念情報の指定されたデータを指定されたデータに書替える（Ｓ１４）。
【００５０】なお、該当記念情報の書替え可否情報が書替え禁止に指定されていた場合は（Ｓ１３）、指定されたタイトルの記念情報が書替え不可能であるメッセージを要求元の情報端末１６へ送信する（Ｓ１５）。
【００５１】そして、アクセス要求元の情報端末１６から終了指示が入力すると、該当情報端末１６に対するデータ送信を終了する（Ｓ１７）。このように構成された卒業アルバムサービスシステムにおいては、卒業生を含む会員は各家庭１５に設置された一般のパーソナルコンピュータ等の情報端末１６から例えばインターネットを利用して例えば学校１１に設置されたサーバ１２から卒業アルバムにおける必要な記念情報を引出すことができる。」
　
　上記全ての摘記事項によれば、引用文献１には、以下の構成が記載されているといえる。
　
（ア）上記摘記事項（１ａ）の「【００４４】サーバ１２には、前記卒業アルバムを構成するディスク記録媒体１に対して情報の読出、書込みが可能なリーダライタ１３が接続されている。また、各卒業生や恩師や学校関係者等からなる会員にはそれそれ会員番号（パスワード）が予め付与されている。・・・（中略）・・・【００４９】そして、指定されたタイトルの記念情報の情報端末１６への送信のちに、該当情報端末１６からの書込要求が入力すると（Ｓ１２）、前記管理テーブル３内の送信した記念情報の書替え可否情報が書替え許可に指定されていた場合は（Ｓ１３）、卒業アルバムにおける該当記念情報の指定されたデータを指定されたデータに書替える（Ｓ１４）。」の記載によれば、当該「サーバ」には、当該「卒業アルバム」に係る「記念情報」を当該「指定されたデータ」に「書替え」て保存する当該「ディスク記録媒体」に対して「情報の読出、書込みが可能なリーダライタ」が「接続されている」ものと解することができる。
　
　したがって、上記摘記事項（１ａ）によれば、引用文献１には、「卒業アルバムに係る記念情報を指定されたデータに書替えて保存するディスク記録媒体に対して情報の読出、書込みが可能なリーダライタが接続されたサーバ」が記載されているといえる。
　
（イ）上記摘記事項（１ａ）の「【００４３】この卒業アルバムサービスシステムにおいては、学校１１に設置されたサーバ１２に対して、インターネットやＬＡＮ等の公衆通信回線１４を介して各卒業生の家庭１５に配設された例えばパーソナルコンピュータ等の情報端末１６が必要に応じて接続される。」の記載によれば、上記（ア）の「サーバ」には、当該「情報端末」が当該「インターネット」を介して「接続される」ものと解することができる。
　
　したがって、上記（ア）及び上記摘記事項（１ａ）によれば、引用文献１には、「前記サーバにインターネットを介して接続される情報端末」が記載されているといえる。
　
（ウ）上記摘記事項（１ａ）の「【００４４】サーバ１２には、前記卒業アルバムを構成するディスク記録媒体１に対して情報の読出、書込みが可能なリーダライタ１３が接続されている。また、各卒業生や恩師や学校関係者等からなる会員にはそれそれ会員番号（パスワード）が予め付与されている。
【００４５】そして、各会員は自宅（家庭１５）の情報端末１６を操作して、学校１１に設置されたサーバ１２のホームページをアクセスすることが可能である。この場合、必要に応じて、自己の会員番号（パスワード）を付加してアクセス要求をサーバ１２へ送信する。・・・（中略）・・・【００５１】そして、アクセス要求元の情報端末１６から終了指示が入力すると、該当情報端末１６に対するデータ送信を終了する（Ｓ１７）。このように構成された卒業アルバムサービスシステムにおいては、卒業生を含む会員は各家庭１５に設置された一般のパーソナルコンピュータ等の情報端末１６から例えばインターネットを利用して例えば学校１１に設置されたサーバ１２から卒業アルバムにおける必要な記念情報を引出すことができる。」の記載によれば、当該「パスワード」からなる「会員番号」は、上記（ア）の「サーバ」に保存された「記念情報」を当該「情報端末」から「引出す」ために、当該「卒業生を含む会員」に「付与」されるものと解することができる。
　
　したがって、上記（ア）及び上記摘記事項（１ａ）によれば、引用文献１には、「前記サーバに保存された前記記念情報を情報端末から引出すために卒業生等の会員に付与されたパスワードからなる会員番号」が記載されているといえる。
　
（エ）上記摘記事項（１ａ）の「【００４４】サーバ１２には、前記卒業アルバムを構成するディスク記録媒体１に対して情報の読出、書込みが可能なリーダライタ１３が接続されている。また、各卒業生や恩師や学校関係者等からなる会員にはそれそれ会員番号（パスワード）が予め付与されている。
【００４５】そして、各会員は自宅（家庭１５）の情報端末１６を操作して、学校１１に設置されたサーバ１２のホームページをアクセスすることが可能である。この場合、必要に応じて、自己の会員番号（パスワード）を付加してアクセス要求をサーバ１２へ送信する。・・・（中略）・・・【００５１】そして、アクセス要求元の情報端末１６から終了指示が入力すると、該当情報端末１６に対するデータ送信を終了する（Ｓ１７）。このように構成された卒業アルバムサービスシステムにおいては、卒業生を含む会員は各家庭１５に設置された一般のパーソナルコンピュータ等の情報端末１６から例えばインターネットを利用して例えば学校１１に設置されたサーバ１２から卒業アルバムにおける必要な記念情報を引出すことができる。」の記載によれば、上記（ウ）の「卒業生等の会員」は、上記（イ）の「インターネットを介して接続される情報端末」から、「会員番号」を「付加してアクセス要求」を行って、当該「記念情報」を「引出す」ことができるものと解することができる。
　
　したがって、上記（イ）、上記（ウ）及び上記摘記事項（１ａ）によれば、引用文献１には、「前記卒業生等の会員が、前記インターネットを介して接続される情報端末から、会員番号を付加してアクセス要求を行って、前記記念情報を引出すことができる」ことが記載されているといえる。
　
（オ）上記摘記事項（１ａ）の「【００４４】サーバ１２には、前記卒業アルバムを構成するディスク記録媒体１に対して情報の読出、書込みが可能なリーダライタ１３が接続されている。また、各卒業生や恩師や学校関係者等からなる会員にはそれそれ会員番号（パスワード）が予め付与されている。」の記載によれば、引用文献１には、「前記会員番号は、予め前記卒業生等の会員に付与されていること」が記載されているといえる。
　
（カ）上記摘記事項（１ａ）の「【００４３】この卒業アルバムサービスシステムにおいては、学校１１に設置されたサーバ１２に対して、インターネットやＬＡＮ等の公衆通信回線１４を介して各卒業生の家庭１５に配設された例えばパーソナルコンピュータ等の情報端末１６が必要に応じて接続される。
【００４４】サーバ１２には、前記卒業アルバムを構成するディスク記録媒体１に対して情報の読出、書込みが可能なリーダライタ１３が接続されている。また、各卒業生や恩師や学校関係者等からなる会員にはそれそれ会員番号（パスワード）が予め付与されている。」によれば、当該「卒業アルバムサービスシステム」は、上記（ア）の「サーバ」、上記（イ）の「情報端末」及び上記（ウ）の「会員番号」とを有するものと解することができる。
　
　したがって、上記（ア）、上記（イ）、上記（ウ）及び上記摘記事項（１ａ）によれば、引用文献１には、「卒業アルバムサービスシステムが、上記サーバと、上記情報端末と、上記会員番号とを有する」ことが記載されているといえる。
　
（引用文献１発明）
　
　したがって、上記（ア）乃至上記（カ）によれば、引用文献１には、次の発明（以下、「引用文献１発明」という。）が記載されているといえる。
　
「　卒業アルバムに係る記念情報を指定されたデータに書替えて保存するディスク記録媒体に対して情報の読出、書込みが可能なリーダライタが接続されたサーバと、
　前記サーバにインターネットを介して接続される情報端末と、
　前記サーバに保存された前記記念情報を情報端末から引出すために卒業生等の会員に付与されたパスワードからなる会員番号とを有し、
　前記卒業生等の会員が、前記インターネットを介して接続される情報端末から、会員番号を付加してアクセス要求を行って、前記記念情報を引出すことができ、
　前記会員番号は、予め前記卒業生等の会員に付与されていることを特徴とする卒業アルバムサービスシステム。」
　
（引用文献２の記載事項）
　
　原査定の拒絶の理由に引用された特開２００２−１７５４６７号公報（以下、「引用文献２」という。）には、図面とともに以下の記載がある。
　
（２ａ）「【００２０】同窓生データ格納手段に記憶されるデータの記憶構造は、請求項４に記載の発明のように、前記の同窓生データ記憶手段に記憶されるデータは、学校ごと、卒業年度ごとの階層構造を有するデータ構造により格納されることを特徴とする。
【００２１】また、前記サーバー・システムには同窓生であることを認証する認証手段が備えられている。本発明においては、同窓生データは、学校を卒業する際などに同窓生全員のデータを一括して同窓生データ記憶手段に格納することが想定されており、同時期に、併せて、個々の同窓生ごとに個人認証データが発行されることが想定されている。なお同窓生以外にも、同じ学校のＯＢなどにもアクセスのための個人認証データを与えることもできる。あるいは同窓生と、学年の違うＯＢと、さらにどちらでもない者とのそれぞれで、アクセスを許可するレベルすなわちアクセス権を別に設定することもできる。認証手段の一例としては、一般的に、個々のＩＤとパスワードを発行する形態が知られている。こうした場合には、サーバー・システムに備えられる認証サーバーなどにこれら個人認証のためのデータを記憶させておき、利用者がアクセスした際に入力するＩＤとパスワードが認証サーバーに送信され、認証サーバーに記憶されている個人認証データと照合をすることにより、アクセスの可否を判断する。」
　
（２ｂ）「【００２２】また、ＩＤやパスワードを用いる方式では、ＩＤやパスワードを変更したり、忘失した場合にはシステム管理者に問合せを行うなどして通知あるいは再発行を受けることは可能である。しかしながら、長期間にわたって利用されるシステムであれば、自分の個人認証データを忘れる危険性も大きいところから、例えば、その他の認証方法を用いるあるいは併用することもできる。例えば、認証のためのデータをＵＳＢキーや、メモリー機能を備える情報記憶カードなどのハードウェアに記憶させておき、利用者端末からアクセスする際にこのハードウェアを利用者端末に備えることにより、個人認証データを前記の認証サーバーに送信可能にする方法である。あるいは、請求項７のように、同窓生データ記憶手段に格納されるデータがＣＤ−ＲＯＭその他の情報記憶媒体に格納される形態をとる場合には、個々の同窓生に配布される情報記憶媒体に、個々の同窓生それぞれの個人認証データを記憶させておき、前記のサーバー・システムにアクセスする際には個人認証データを前記の認証サーバーに送信可能にする方法である。」
　
　上記全ての摘記事項によれば、引用文献２には、以下の構成が記載されているといえる。
　
（キ）上記摘記事項（２ｂ）の「【００２２】・・・（中略）・・・あるいは、請求項７のように、同窓生データ記憶手段に格納されるデータがＣＤ−ＲＯＭその他の情報記憶媒体に格納される形態をとる場合には、個々の同窓生に配布される情報記憶媒体に、個々の同窓生それぞれの個人認証データを記憶させておき、前記のサーバー・システムにアクセスする際には個人認証データを前記の認証サーバーに送信可能にする方法である。」の記載によれば、当該「同窓生に配布される情報記憶媒体」は、当該「同窓生」の「データ」を「格納」するもの、すなわち、卒業アルバムのデータを備える媒体であって、当該「認証データ」を「記憶」するものと解することができる。
　
　したがって、上記摘記事項（２ｂ）によれば、引用文献２には、「同窓生に配布される卒業アルバムのデータを備えた媒体に、認証データを記憶しておく」ことが記載されているといえる。
　
（ク）上記摘記事項（２ａ）の「【００２０】同窓生データ格納手段に記憶されるデータの記憶構造は、請求項４に記載の発明のように、前記の同窓生データ記憶手段に記憶されるデータは、学校ごと、卒業年度ごとの階層構造を有するデータ構造により格納されることを特徴とする。」の記載によれば、当該「同窓生」の「データ」は、当該「学校ごと、卒業年度ごと」に「格納される」ものと解することができる。
　
　また、上記摘記事項（２ａ）の「【００２１】また、前記サーバー・システムには同窓生であることを認証する認証手段が備えられている。本発明においては、同窓生データは、学校を卒業する際などに同窓生全員のデータを一括して同窓生データ記憶手段に格納することが想定されており、同時期に、併せて、個々の同窓生ごとに個人認証データが発行されることが想定されている。」の記載によれば、上記「同窓生」の「データ」は、当該「学校を卒業する際」に「格納される」とともに、当該「個々の同窓生」に当該「データ」へアクセスするための「認証データ」を「発行」するものと解することができる。
　
　したがって、上記摘記事項（２ａ）によれば、引用文献２には、「学校を卒業する際に同窓生のデータを学校ごと、卒業年度ごとに格納するとともに、個々の同窓生に当該学校ごと、卒業年度ごとに格納された同窓生のデータへアクセスするための認証データを発行する」ことが記載されているといえる。
　
（引用文献２の記載事項Ａ）
　
　よって、上記（キ）によれば、引用文献２には、次の記載事項（以下、「引用文献２の記載事項Ａ」という。）が記載されているといえる。
　
「　同窓生に配布される卒業アルバムのデータを備えた媒体に、認証データを記憶しておく。」
　
（引用文献２の記載事項Ｂ）
　
　よって、上記（ク）によれば、引用文献２には、次の記載事項（以下、「引用文献２の記載事項Ｂ」という。）が記載されているといえる。
　
「　学校を卒業する際に同窓生のデータを学校ごと、卒業年度ごとに格納するとともに、個々の同窓生に当該学校ごと、卒業年度ごとに格納された同窓生のデータへアクセスするための認証データを発行する。」
　
（３）本願発明と引用文献１発明との対比
　
　本願発明と引用文献１発明とを対比する。
　
　引用文献１発明の「ディスク記録媒体に対して情報の読出、書込みが可能なリーダライタ」、「サーバ」、「インターネット」、「情報端末」、「パスワード」、「会員番号」、「卒業生等の会員」及び「卒業アルバムサービスシステム」との事項は、本願発明の「学校データ保存部」、「インターネットサーバ」、「インターネット網」、「クライアント側のコンピュータ」、「パスワード」、「識別記号」、「卒業生」及び「インターネットウェブ卒業アルバムシステム」との事項にそれぞれ相当する。
　
　また、引用文献１発明の「指定されたデータ」との事項は、卒業生から書替えるデータとして提供されるものであるから、本願発明の「卒業生及びこれに関連するデータＡ」との事項に相当する。
　
　してみると、引用文献１発明の「前記サーバにインターネットを介して接続される情報端末」との事項は、本願発明の「前記インターネットサーバにインターネット網を介して接続されるクランアント側のコンピュータ」との事項に相当する。
　
　そして、本願発明の「前記印刷される卒業アルバムの原稿の締め切り日から前記卒業生の卒業日までの前記卒業アルバムが配られる前記卒業生及びこれに関連するデータＡを保存する学校データ保存部を有するインターネットサーバ」との事項と引用文献１発明の「卒業アルバムに係る記念情報を指定されたデータに書替えて保存するディスク記録媒体に対して情報の読出、書込みが可能なリーダライタが接続されたサーバ」との事項とは、後記の点で相違するものの、ともに「卒業生及びこれに関連するデータＡを保存する学校データ保存部を有するインターネットサーバ」という点で共通する。
　
　また、本願発明の「前記卒業アルバムに備えられ、前記インターネットサーバに保存された前記データＡを含むデータを前記クライアント側のコンピュータから閲覧可能なパスワードからなる前記卒業生の識別記号」との事項と引用文献１発明の「前記サーバに保存された前記記念情報を情報端末から引出すために卒業生等の会員に付与されたパスワードからなる会員番号」との事項とは、後記の点で相違するものの、引用文献１発明での識別記号は予め卒業生に与えられることで当該卒業生が所有しているものといえるから、ともに「前記インターネットサーバに保存された前記データＡを含むデータを前記クライアント側のコンピュータから閲覧可能なパスワードからなる前記卒業生の識別記号」という点で共通する。
　
　また、本願発明の「前記卒業生が、前記インターネットサーバに繋がる前記クライアント側のコンピュータに前記識別記号を入力して、前記学校データ保存部に保存され、前記識別記号にリンクされている前記データを閲覧でき」との事項と引用文献１発明の「前記卒業生等の会員が、前記インターネットを介して接続される情報端末から、会員番号を付加してアクセス要求を行って、前記記念情報を引出すことができ」との事項とは、後記の点で相違するものの、引用文献１発明での識別記号はアクセス要求の際にクライアント側のコンピュータに入力されることが通常であるから、ともに「前記卒業生が、前記インターネットサーバに繋がる前記クライアント側のコンピュータに前記識別記号を入力して、前記学校データ保存部に保存されているされている前記データを閲覧でき」という点で共通する。
　
　また、本願発明の「しかも、前記識別記号は、前記卒業アルバムに備えられた記憶媒体に保存され、更に、前記インターネットサーバは、学校毎の学校データ保存部を有している」との事項と引用文献１発明の「前記会員番号は、予め前記卒業生等の会員に付与されている」との事項とは、後記の点で相違するものの、ともに「しかも、前記識別記号は、卒業生に与えられる」という点で共通する。
　
　したがって、両者は、
　
（一致点）
　
「　卒業生及びこれに関連するデータＡを保存する学校データ保存部を有するインターネットサーバと、
　前記インターネットサーバにインターネット網を介して接続されるクランアント側のコンピュータと、
　前記インターネットサーバに保存された前記データＡを含むデータを前記クライアント側のコンピュータから閲覧可能なパスワードからなる前記卒業生の識別記号とを有し、
　前記卒業生が、前記インターネットサーバに繋がる前記クライアント側のコンピュータに前記識別記号を入力して、前記学校データ保存部に保存されているされている前記データを閲覧でき、
　しかも、前記識別記号は、卒業生に与えられることを特徴とするインターネットウェブ卒業アルバムシステム。」
　
である点で一致し、以下の点で相違する。
　
（相違点１）
　
　本願発明は、紙に印刷され卒業生に渡される卒業アルバムを備え、そのため、
　前記卒業生には、前記卒業アルバムが配られ、
　データＡが、前記印刷される卒業アルバムの原稿の締め切り日から前記卒業生の卒業日までのデータであり、
　識別記号が、前記卒業アルバムに備えられ、しかも、前記卒業アルバムに備えられた記憶媒体に保存されるのに対し、
　
　引用文献１発明は、紙に印刷され卒業生に渡される卒業アルバムを備えることが明記されておらず、そのため、
　前記卒業生には、前記卒業アルバムが配られるのか不明であり、
　データＡが、前記印刷される卒業アルバムの原稿の締め切り日から前記卒業生の卒業日までのデータであるのか不明であり、
　識別記号が、卒業生に与えられるに留まり、その具体的な態様が上記のようなものであるのか不明である点。
　
（相違点２）
　
　本願発明では、インターネットサーバは、学校毎の学校データ保存部を有しており、そのため、
　卒業生が、識別記号にリンクされているデータを閲覧できるのに対し、
　
　引用文献１発明では、インターネットサーバは、特定の学校の学校データ保存部を有しており、そのため、
　卒業生が、データを閲覧できるものの、当該データが識別記号にリンクされているものではない点。
　
（４）相違点についての判断
　
（相違点１について）
　
　紙媒体と電子媒体の両媒体を利用して、同一の情報の保管と提示を行うことは、周知技術である。
　
　してみると、引用文献１発明において、上記周知技術を適用し、インターネットサーバに加えて、紙に印刷され卒業生に渡される卒業アルバムを備えるよう構成し、そのため、前記卒業生には、前記卒業アルバムが配られるよう構成することは、当業者であれば適宜になし得るものである。
　
　また、紙に印刷される卒業アルバムの原稿の締め切り日から卒業生の卒業日までに卒業生に関連する情報が生じても、このような情報を当該卒業アルバムに反映することができないことは、普通に想定できることである。
　
　してみると、引用文献１発明において、インターネットサーバに加えて、紙に印刷され卒業生に渡される卒業アルバムを備えるよう構成するのであれば、そのため、データＡに保存する卒業生に関連する情報を、前記印刷される卒業アルバムの原稿の締め切り日から前記卒業生の卒業日までのデータとするよう構成することは、当業者であれば適宜になしうる設計的事項にすぎないものである。
　
　また、引用文献２には、同窓生に配布される卒業アルバムのデータを備えた媒体に、認証データを記憶しておくとの記載事項Ａがみられる。
　
　してみると、引用文献１発明において、インターネットサーバに加えて、紙に印刷され卒業生に渡される卒業アルバムを備えるよう構成するのであれば、そのため、卒業生に識別記号を与えるにあたり、上記引用文献２の記載事項Ａを適用し、識別記号が、前記卒業アルバムに備えられ、しかも、前記卒業アルバムに備えられた記憶媒体に保存されるよう構成することは、当業者であれば適宜になし得る設計的事項にすぎないものである。
　
　したがって、相違点１に係る本願発明の構成は、引用文献１発明、引用文献２の記載事項Ａ及び周知技術に基づいて、当業者が容易に想到し得たものである。
　
（相違点２について）
　
　引用文献２には、学校を卒業する際に同窓生のデータを学校ごと、卒業年度ごとに格納するとともに、個々の同窓生に当該学校ごと、卒業年度ごとに格納された同窓生のデータへアクセスするための認証データを発行するとの記載事項Ｂが開示されている。
　
　してみると、引用文献１発明において、上記引用文献２の記載事項Ｂを適用し、インターネットサーバが学校毎の学校データ保存部を有するよう構成し、そのため、卒業生が、識別記号にリンクされているデータを閲覧できるよう構成することは、当業者であれば適宜になし得るものである。
　
　したがって、相違点２に係る本願発明の構成は、引用文献１発明及び引用文献２の記載事項Ｂに基づいて、当業者が容易に想到し得たものである。
　
　そして、本願発明の作用効果も、引用文献１発明、引用文献２及び周知技術から当業者が予測できる範囲のものである。
　
（５）結論
　
　よって、本願発明は、引用文献１発明、引用文献２の記載事項Ａ及び同文献の記載事項Ｂ並びに周知技術に基づいて、当業者が容易に発明をすることができたものであるから、特許法第２９条第２項の規定により特許を受けることができないものである。
　
４．むすび
　
　上記のとおり、本願の請求項１に係る発明は、引用文献１発明、引用文献２の記載事項Ａ及び同文献の記載事項Ｂ並びに周知技術に基づいて、当業者が容易に発明をすることができたものであるから、特許法第２９条第２項の規定により特許を受けることができないため、本願の他の請求項に係る発明について検討するまでもなく、本願は拒絶すべきものである。
　
　よって，結論のとおり審決する。